(57)【特許請求の範囲】
【請求項１】
シャッター式３Ｄメガネを着用して立体映像を視聴することが可能な映像をディスプレイに表示する立体映像表示装置であって、
左眼用画像と右眼用画像をディスプレイに交互に表示するタイミングを生成するとともに、前記画像の表示に同期して前記シャッター式３Ｄメガネの左右シャッター個々の開閉動作を制御するシャッター制御信号を生成するタイミング生成部と、
前記シャッター制御信号を前記シャッター式３Ｄメガネに送信する送信部と、
前記シャッター式３Ｄメガネから、前記シャッター式３Ｄメガネのシャッターを駆動する電池電圧の状態を示す応答信号を受信する受信部と、
前記受信部での前記シャッター式３Ｄメガネからの応答信号の受信態様が、前記電池電圧が予め定めてある値よりも小さいことを示す所定のものである場合に、前記左眼用画像又は前記右眼用画像のいずれか一方のみを前記ディスプレイに順次表示する制御を行う制御部とを備えることを特徴とする、立体映像表示装置。
【請求項２】
前記応答信号の受信態様が、前記電池電圧が予め定めてある値よりも小さいことを示す所定のものである場合は、前記応答信号が所定の異常パターンの信号である場合、または前記応答信号を受信しなくなった場合を含む、請求項１に記載の立体映像表示装置。
【請求項３】
請求項２に記載の立体映像表示装置と、シャッター式３Ｄメガネとを備える立体映像表示システムであって、
前記シャッター式３Ｄメガネは、
前記シャッター制御信号を前記立体映像表示装置から受信するシャッター制御信号受信部と、
前記シャッター制御信号に基づき左右シャッター個々の開閉動作を行うシャッター駆動部と、
前記シャッター式３Ｄメガネの電池電圧を検出する電圧検出部と、
前記電池電圧と所定の閾値の比較結果に応じたパターンの前記応答信号を前記立体映像表示装置に送信する応答信号送信部とを備えることを特徴とする、立体映像表示システム。
【請求項４】
前記応答信号は、前記電池電圧が所定の閾値より大きい場合に所定の正常パターンの信号、小さい場合に所定の異常パターンの信号であることを特徴とする、請求項３に記載の立体映像表示システム。
【請求項５】
前記応答信号は、前記電池電圧が所定の閾値より大きい場合にのみ前記立体映像表示装置に送信されることを特徴とする、請求項３に記載の立体映像表示システム。
【請求項６】
前記受信部での前記シャッター式３Ｄメガネからの応答信号の受信態様が、前記電池電圧が予め定めてある値よりも小さいことを示す所定のものである場合に、前記制御部は、電池交換を促す画像を前記ディスプレイに表示する制御を行うことを特徴とする、請求項３〜５のいずれかに記載の立体映像表示システム。
【請求項７】
前記シャッター駆動部は、前記電池電圧が所定の閾値より小さくなると、左右のシャッターを開いた状態にして開閉動作を停止することを特徴とする、請求項３〜６のいずれかに記載の立体映像表示システム。
【発明の詳細な説明】
【技術分野】
【０００１】
本発明は、立体映像（以下、３Ｄ映像とも称する）を表示するデジタル放送受信機等の立体映像表示装置や、シャッター式３Ｄメガネを含む立体映像表示システムに関する。
【背景技術】
【０００２】
両眼の位置の差から左眼と右眼には異なる画像が写っている。この見え方の違いが視差と呼ばれるものであり、左眼に写った画像と右眼に写った画像の視差により奥行き感を脳が認識し立体的に物を見ることができる。従来の立体映像表示装置では、ディスプレイに左眼用画像と右眼用画像を交互に出力し、表示の切り替えタイミングに同期してシャッター式３Ｄメガネの右眼用シャッターと左眼用シャッターを交互に開閉することにより、視聴者に立体映像を認識させる方式が知られている（特許文献１参照）。
【先行技術文献】
【特許文献】
【０００３】
【特許文献１】特許第４２５１９５２号公報
【発明の概要】
【発明が解決しようとする課題】
【０００４】
特許文献１ではディスプレイ側からシャッター式３Ｄメガネのシャッター開閉タイミングが一方的に通知されるため、シャッター式３Ｄメガネの電池が消耗してシャッター開閉動作を停止した場合でも、ディスプレイには左眼用画像と右眼用画像を交互に出力され続ける結果、ユーザーは２重に重なったぼやけた画像を視聴することとなるという問題があった。
【０００５】
本発明は上述の問題点に鑑み、シャッター式３Ｄメガネの電池が消耗してシャッター開閉動作が出来なくなった場合でも、ユーザーが正常な画像（映像）を視聴することが出来る立体映像表示装置及び立体映像表示システムの提供を目的とする。
【課題を解決するための手段】
【０００６】
本発明の立体映像表示装置は、シャッター式３Ｄメガネを着用して立体映像を視聴することが可能な映像をディスプレイに表示する立体映像表示装置であって、左眼用画像と右眼用画像をディスプレイに交互に表示するタイミングを生成するとともに、画像の表示に同期してシャッター式３Ｄメガネの左右シャッター個々の開閉動作を制御するシャッター制御信号を生成するタイミング生成部と、シャッター制御信号を前記シャッター式３Ｄメガネに送信する送信部と、シャッター式３Ｄメガネから、シャッター式３Ｄメガネのシャッターを駆動する電池電圧の状態を示す応答信号を受信する受信部と、受信部でのシャッター式３Ｄメガネからの応答信号の受信態様が、電池電圧が予め定めてある値よりも小さい異常であることを示す所定のものである場合に、左眼用画像又は右眼用画像のいずれか一方のみをディスプレイに順次表示する制御を行う制御部とを備える。
【０００７】
また、本発明の立体映像表示システムは、立体映像表示装置とシャッター式３Ｄメガネとを備える立体映像表示システムである。シャッター式３Ｄメガネは、シャッター制御信号を立体映像表示装置から受信するシャッター制御信号受信部と、シャッター制御信号に基づき左右シャッター個々の開閉動作を行うシャッター駆動部と、シャッター式３Ｄメガネの電池電圧を検出する電圧検出部と、電池電圧と所定の閾値の比較結果に応じたパターンの応答信号を立体映像表示装置に送信する応答信号送信部とを備える。
【発明の効果】
【０００８】
本発明の立体映像表示装置は、シャッター式３Ｄメガネから、シャッター式３Ｄメガネのシャッターを駆動する電池電圧の状態を示す応答信号を受信する受信部と、受信部でのシャッター式３Ｄメガネからの応答信号の受信態様が、電池電圧が予め定めてある値よりも小さい異常であることを示す所定のものである場合に、左眼用画像又は右眼用画像のいずれか一方のみをディスプレイに順次表示する制御を行う制御部とを備える。シャッター式３Ｄメガネの電池電圧が所定値以下になったことを応答信号に反映させれば、電池が消耗してシャッター動作が出来なくなる場合にはどちらか一方の画像のみを表示させることによって、ユーザーが二重に重なった映像を視聴することを防ぐことが出来る。
【０００９】
また、本発明の立体映像表示システムは、立体映像表示装置とシャッター式３Ｄメガネとを備え、シャッター式３Ｄメガネは、シャッター式３Ｄメガネの電池電圧を検出する電圧検出部と、電池電圧と所定の閾値の比較結果に応じたパターンの応答信号を立体映像表示装置に送信する応答信号送信部とを備える。応答信号を受信した立体映像表示装置は、シャッター式３Ｄメガネの電池電圧が所定の閾値を下回ったことを知ると、左眼用画像か右眼用画像のいずれか一方のみをディスプレイに表示するようにすれば、電池が消耗してシャッター動作が出来なくなった場合に、ユーザーが二重に重なった映像を視聴することを防ぐことが出来る。
【図面の簡単な説明】
【００１０】
【図１】実施の形態１に係る立体映像表示システムの構成を示すブロック図である。
【図２】フレームシーケンシャル方式の画像データを示す図である。
【図３】サイドバイサイド方式の画像データを示す図である。
【図４】トップアンドボトム方式の画像データを示す図である。
【図５】実施の形態１に係る立体映像表示システムの動作を示す図である。
【図６】実施の形態１に係るメガネ制御部の動作を示すフローチャートである。
【図７】実施の形態１に係る制御部の動作を示すフローチャートである。
【図８】実施の形態１に係る立体映像表示システムの電池消耗時の動作を示す図である。
【図９】従来の立体映像表示装置のディスプレイ表示を示す図である。
【図１０】本発明に係る立体映像表示装置のディスプレイ表示を示す図である。
【図１１】実施の形態２に係る立体映像表示システムの構成を示すブロック図である。
【図１２】実施の形態２に係るメガネ制御部の動作を示すフローチャートである。
【発明を実施するための形態】
【００１１】
（実施の形態１）
＜構成＞
図１は、実施の形態１に係る立体映像表示システムの構成を示すブロック図である。本実施の形態の立体映像表示システムは、例えばデジタル放送受信機よりなる立体映像表示装置とシャッター式の３Ｄメガネ１１から構成される。
【００１２】
まず立体映像表示装置の構成についてであるが、立体映像表示装置は、放送波から３Ｄ画像データを受信するアンテナ１、３Ｄ画像データが含む放送波で送るために変換された情報を送信前の状態に戻す復調部２、復調部２で復調した３Ｄ画像データを人が認識できる画像と音声にそれぞれ復号する画像復号部３、音声復号部１４を備える。アンテナ１は、例えば地上デジタル放送を受信する市販の八木・宇田アンテナや、ＢＳデジタル放送を受信するパラボラ型アンテナ等である。
【００１３】
さらに、立体映像表示装置は、ディスプレイ１３を備え、画像復号部３で復号された様々な伝送方式の３Ｄ画像データをディスプレイ１３で表示可能なフォーマットに変換する画像フォーマット変換部４を備える。
【００１４】
立体映像表示装置で表示する３Ｄ画像データはアンテナ１で受信したものに限らず、画像フォーマット変換部４は、再生装置１２で再生される３Ｄ画像データをも、ディスプレイ１３で表示可能なフォーマットに変換する。再生装置１２は例えばブルーレイプレイヤー等の、ブルーレイディスクメディア再生装置である。再生装置１２は立体映像表示装置の構成要素として図示しているが、装置に内蔵されている場合のみならず、装置の外部にあるものも含まれる。
【００１５】
立体映像表示装置はさらに、左眼用画像格納部５、右眼用画像格納部６、タイミング生成部７、送信部８、受信部９、制御部１０を備える。３Ｄ画像データは左眼用画像データと右眼用画像データで構成されており、左眼用画像格納部５には左眼用画像データが、右眼用画像格納部６には右眼用画像データがそれぞれ書き込まれる。書き込まれた画像データはディスプレイ１３に表示されるが、タイミング生成部７は画像の表示タイミングに同期してディスプレイ１３のバックライトのＯＮ／ＯＦＦを制御し、さらに画像の表示タイミングに同期して３Ｄメガネ１１の左右シャッター個々の開閉動作を制御するシャッター制御信号を生成する。シャッター制御信号は送信部８から３Ｄメガネ１１に送信され、これに従って左右シャッターの開閉が行われる。受信部９は３Ｄメガネ１１からの応答信号を受信する。制御部１０では立体映像表示装置各部の制御を行うソフトウェアが動作する。
【００１６】
次に、３Ｄメガネ１１の構成について説明する。３Ｄメガネ１１は、シャッター制御信号受信部１７、メガネ制御部１５、シャッター駆動部１９、電圧検出部１６、応答信号生成部２０、応答信号送信部１８を備える。シャッター制御信号受信部１７は、立体映像表示装置からシャッター制御信号を受信する。メガネ制御部１５はシャッター制御信号受信部１７で受信したシャッター制御信号に基づき、シャッター駆動部１９を制御してシャッター開閉を行う。電圧検出部１６はシャッターを駆動する電池電圧を検出する。メガネ制御部１５はさらに、電圧検出部１６で検出した電池電圧に応じて応答信号生成部２０に応答信号の生成を指示し、これに従い応答信号生成部２０は応答信号を生成する。応答信号送信部１８は、応答信号を立体映像表示装置の受信部９に送信する。
【００１７】
＜動作＞
３Ｄ画像データには様々な伝送方式がある。図２に、ブルーレイ規格（フレームシーケンシャル方式）で伝送される３Ｄ画像データを示す。３Ｄ画像データは左眼用画像データと右眼用画像データが時分割で伝送され、それぞれ１９２０×１０８０画素で構成される。
【００１８】
画像フォーマット部４は、このような３Ｄ画像データを読み込むと、１９２０×１０８０画素のまま、左眼用画像データを左眼用画像格納部５へ、右眼用画像データを右眼用画像格納部６へ左眼用画像データから１／２４０秒の間隔をあけて、それぞれ書き込む。
【００１９】
タイミング生成部７は、いずれかの画像データ書き込み完了に同期してディスプレイ１３のバックライトを点灯させ、いずれかの画像データ書き込み開始に同期してバックライトを消灯させる。画像データ格納部５，６に書き込まれた画像データは、そのままの時間間隔でディスプレイに表示される。右眼用画像データと左眼用画像データが１／２４０秒毎に交互に書き込まれるため、ディスプレイ１３には１９２０×１０８０画素のＨＤ（Ｈｉｇｈ  Ｄｅｆｉｎｉｔｉｏｎ）画像である左眼用画像と右眼用画像が、それぞれ１／１２０秒ごとに切り替えられて順次表示される。
【００２０】
タイミング生成部７は、左眼用画像と右眼用画像の切り替わりに同期して３Ｄメガネ１１のシャッター制御信号を生成し、送信部８からこれを送信する。左眼用画像がディスプレイ１３に表示されている間、３Ｄメガネ１１のシャッター駆動部１９は左眼のシャッターを開き右眼のシャッターを閉じる。逆に、右眼用画像がディスプレイ１３に表示されている間は、右眼のシャッターを開き左眼のシャッターを閉じる。
【００２１】
次に、放送で配信される３Ｄ番組の画像データの伝送方式について説明する。図３は放送で配信される３Ｄ番組の伝送方式の代表例のひとつであるサイドバイサイド方式により伝送される３Ｄ画像データを示す。ブルーレイ規格の３Ｄ画像データの伝送方式と異なる点は、横方向がＨＤ画像の１／２の画素にあたる９６０×１０８０画素を左右に並べた構成になることである。
【００２２】
画像フォーマット変換部４は、このような９６０×１０８０画素からなる左眼用画像データと右眼用画像データを読み込むと、左眼用画像データを横方向へ拡大し画素補完を実施して１９２０×１０８０画素の左眼用画像データに変換し、左眼用画像格納部５へ書き込む。右眼用画像データについても同様にして画素補完を実施し、１９２０×１０８０画素に変換して右眼用画像格納部６に書き込む。左眼用画像格納部５への書き込みと右眼用画像格納部６への書き込みは１／２４０秒の間隔をあけて実施する。
【００２３】
以降は、ブルーレイ規格の伝送方式の３Ｄ画像データの場合と同様に、タイミング生成部７は、画像データの書き込みに同期してディスプレイ１３のバックライトのＯＮ／ＯＦＦを制御し、さらにシャッター制御信号を生成する。ディスプレイ１３には１９２０×１０８０画素のＨＤ画像である左眼用画像と右眼用画像が、それぞれ１／１２０秒ごとに切り替えられて順次表示される。
【００２４】
次に、放送で配信される３Ｄ番組の伝送方式のもう一つの代表例であるトップアンドボトム方式により伝送される３Ｄ画像データを図４に示す。ブルーレイ規格の３Ｄ画像データの伝送方式と異なる点は、縦方向がＨＤ画像の１／２の画素のあたる１９２０×５４０画素を上下に並べた構成になることである。
【００２５】
画像フォーマット変換部４は、このような１９２０×５４０画素からなる左眼用画像データと右眼用画像データを読み込むと、左眼用画像データを縦方向へ拡大し画素補完を実施し１９２０×１０８０画素の左眼用画像データに変換し、左眼用画像格納部５へ書き込む。右眼用画像データについても同様にして画素補完を実施し、１９２０×１０８０画素のデータを右眼用画像格納部６に書き込む。左眼用画像格納部５への書き込みと右眼用画像格納部６への書き込みは１／２４０秒の間隔をあけて実施する。
【００２６】
以降は、ブルーレイ規格の伝送方式の３Ｄ画像データの場合と同様に、タイミング生成部７は、画像データの書き込みに同期してディスプレイ１３のバックライトのＯＮ／ＯＦＦを制御し、さらにシャッター制御信号を生成する。ディスプレイ１３には１９２０×１０８０画素のＨＤ画像である左眼用画像と右眼用画像が、それぞれ１／１２０秒ごとに切り替えられて順次表示される。
【００２７】
図５は、上記の動作、すなわち３Ｄ画像を表示する際の各画像データの書き込み、ディスプレイ１３のバックライトのＯＮ／ＯＦＦ、３Ｄメガネ１１のシャッター開閉のタイミングを示したものである。画像フォーマット変換部４が左眼用画像データを左眼用画像格納部５へ書き終えると、バックライトが点灯し左眼用画像がディスプレイ１３に表示される。それと同時に、３Ｄメガネ１１の左眼用のシャッターのみが開く。このとき、ユーザーは左眼用画像を左眼だけで見ている。
【００２８】
次に、画像フォーマット変換部４が右眼用画像データを右眼用画像格納部６へ書き始めると、ディスプレイ１３のバックライトは消灯し、３Ｄメガネ１１の左眼用シャッターが閉じる。右眼用画像データの書き込みが終わると、バックライトは点灯し、右眼用シャッターのみが開く。このとき、ユーザーは右眼用画像を右眼だけで見ている。
【００２９】
上記動作を繰り返すことにより、ユーザーは交互に左眼用画像と右眼用画像を見ることになり、左眼に映った画像と右眼に映った画像の視差により奥行き感を脳が認識し、立体的に物を見ることが出来る。
【００３０】
図６は、メガネ制御部１５の動作を示すフローチャートである。メガネ制御部１５はシャッター制御信号受信部１７でシャッター制御信号を受信したことを検出すると（ステップＳ１）、電圧検出部１６からシャッターを駆動する電池の電圧を読み出す（ステップＳ２）。電池電圧を予め設定していた閾値と比較し（ステップＳ３）、閾値以上の値であれば、応答信号生成部２０に正常パターンの応答信号を設定させる（ステップＳ４）。応答信号は応答信号送信部１８から送信される（ステップＳ５）。また、メガネ制御部１５はシャッター制御信号に従いシャッター駆動部１９にシャッターの開閉を実施させる（ステップＳ６）。
【００３１】
ステップＳ３で電池電圧が閾値より小さい値であれば、応答信号生成部２０に異常パターンの応答信号を設定させる（ステップＳ７）。応答信号は応答信号送信部１８から送信される（ステップＳ８）。また、メガネ制御部１５はシャッター駆動部１９を制御し、シャッター駆動部１９は左右のシャッターを開いた状態で開閉動作を停止させる（ステップＳ９）。
【００３２】
図７は、立体映像表示装置の制御部１０の動作を示すフローチャートである。まず、３Ｄメガネ１１の電池残量が十分な場合の動作について説明する。画像フォーマット変換部４が左眼用画像データを左眼用画像格納部５に書き終えると（ステップＳ１１）、制御部１０はタイミング生成部７を制御してディスプレイ１３のバックライトを点灯させ（ステップＳ１２）、左眼用シャッターを開くよう指示するシャッター制御信号を送信部８から送信させる（ステップＳ１３）。次に、３Ｄメガネ１１からの応答信号の有無を確認し（ステップＳ１４）、正常パターンの応答信号を検出すれば、３Ｄメガネ１１のシャッター動作が正常に機能してユーザーは立体映像を視聴していると判断する。次に、タイミング生成部７を制御してディスプレイ１３のバックライトを消灯させ（ステップＳ１７）、画像フォーマット変換部４に右眼用画像データを右眼用画像格納部６へ書き込ませる（ステップＳ１８）。
【００３３】
右眼用画像データの書き込みが完了すると（ステップＳ１９）、タイミング生成部７を制御してディスプレイ１３のバックライトを点灯させ（ステップＳ２０）、右眼用シャッターを開くよう指示するシャッター制御信号を送信部８から送信させる（ステップＳ２１）。次に、３Ｄメガネ１１からの応答信号の有無を確認し（ステップＳ２２）、正常パターンの応答信号を検出すれば、３Ｄメガネ１１のシャッター動作が正常に機能してユーザーは立体映像を視聴していると判断する。次に、タイミング生成部７を制御してディスプレイ１３のバックライトを消灯させ（ステップＳ２５）、画像フォーマット変換部４に左眼用画像データを左眼用画像格納部５へ書き込ませる（ステップＳ２６）。
【００３４】
次に、３Ｄメガネ１１の電池の残量が少なくなった場合の説明をする。画像フォーマット変換部４が左眼用画像データを左眼用画像格納部５に書き終えると（ステップＳ１１）、制御部１０はタイミング生成部７を制御してディスプレイ１３のバックライトを点灯させ（ステップＳ１２）、左眼用シャッターを開くよう指示するシャッター制御信号を送信部８から送信させる（ステップＳ１３）。次に、３Ｄメガネ１１からの応答信号の有無を確認し（ステップＳ１４）、異常パターンの応答信号であれば電池残量が少ないと判断し（ステップＳ１５）、ディスプレイ１３に電池交換メッセージを表示させる（ステップＳ１６）。このように、受信部９での３Ｄメガネ１１からの応答信号の受信態様が所定のものである場合に、制御部１０は、電池交換を促す画像をディスプレイ１３に表示する制御を行う。異常パターンの応答信号も検出しない場合は、３Ｄメガネ１１の電池残量がないため応答信号が送出されなくなったと判断しても良い。なお、この場合にもディスプレイ１３に電池交換メッセージを表示しても良い。次に、タイミング生成部７を制御してディスプレイ１３のバックライトを消灯させる（ステップＳ２５）。また、制御部１０は画像フォーマット変換部４に左眼用画像データを左眼用画像格納部５へ書き込ませる（ステップＳ２６）。次に左眼用画像データの書き込み完了を待つ（ステップＳ１１に戻る）。
【００３５】
右眼用画像を表示する際に電池残量が少なくなった場合も、左眼用画像の場合と同様の動作を行う。画像フォーマット変換部４が右眼用画像データを右眼用画像格納部６に書き終えると（ステップＳ１９）、制御部１０はタイミング生成部７を制御してディスプレイ１３のバックライトを点灯させ（ステップＳ２０）、右眼用シャッターを開くよう指示するシャッター制御信号を送信部８から送信させる（ステップＳ２１）。次に、３Ｄメガネ１１からの応答信号の有無を確認し（ステップＳ２２）、異常パターンの応答信号であれば電池残量が少ないと判断し（ステップＳ２３）、ディスプレイ１３に電池交換メッセージを表示させる（ステップＳ２４）。異常パターンの応答信号も検出しない場合は、３Ｄメガネ１１の電池残量がないため応答信号が送出されなくなったと判断しても良い。なお、この場合にもディスプレイ１３に電池交換メッセージを表示しても良い。次に、タイミング生成部７を制御してディスプレイ１３のバックライトを消灯させる（ステップＳ１７）。また、制御部１０は画像フォーマット変換部４に右眼用画像データを右眼用画像格納部６へ書き込ませる（ステップＳ１８）。次に右眼用画像データの書き込み完了を待つ（ステップＳ１９に戻る）。
【００３６】
このように、本実施の形態の立体映像表示装置、立体映像表示システムでは、左眼用画像と右眼用画像をディスプレイに交互に表示するタイミングを生成するとともに、画像の表示に同期してシャッター式３Ｄメガネ１１の左右シャッター個々の開閉動作を制御するシャッター制御信号を生成するタイミング生成部７と、シャッター制御信号をシャッター式３Ｄメガネ１１に送信する送信部８と、シャッター式３Ｄメガネ１１から応答信号を受信する受信部９と、受信部９でのシャッター式３Ｄメガネ１１からの応答信号の受信態様が所定のものである場合に、左眼用画像又は右眼用画像のいずれか一方のみをディスプレイ１３に順次表示する制御を行う制御部１０とを備える。また、ここで応答信号の受信態様が所定のものであるとは、応答信号が所定の異常パターンの信号である場合や、応答信号を受信しなくなった場合を含む。
【００３７】
また、シャッター式の３Ｄメガネ１１は、シャッター制御信号を立体映像表示装置から受信するシャッター制御信号受信部１７と、シャッター制御信号に基づき左右シャッター個々の開閉動作を行うシャッター駆動部１９と、３Ｄメガネ１１の電池電圧を検出する電圧検出部１６と、電池電圧と所定の閾値の比較結果に応じた応答信号を立体映像表示装置に送信する応答信号送信部１８とを備える。そして、応答信号は、電池電圧が所定の閾値より大きい場合に所定の正常パターンの信号、小さい場合に所定の異常パターンの信号であることを特徴とする。
【００３８】
このように、３Ｄメガネ１１の電池残量が少なくなるか完全に無くなると、画像フォーマット変換部４は左眼用画像データの書き込みを繰り返す。あるいは、右眼用画像データを表示している間に電池残量が少なくなるか完全に無くなった場合、画像フォーマット変換部４は右眼用画像データの書き込みを繰り返す。こうして、左眼用画像か右眼用画像のいずれか一方のみがディスプレイ１３に順次表示されるため、２重に重なったぼやけた画像にはならずユーザーは適切な画像を視聴することができる。
【００３９】
図８に、電池残量が少なくなるか完全に無くなった場合の、画像フォーマット変換部４が出力する画像データとディスプレイ１３のバックライトのＯＮ／ＯＦＦ、３Ｄメガネ１１のシャッター開閉タイミングを示す。
【００４０】
画像フォーマット変換部４は左眼用画像データの左眼用画像格納部５への書き込みを繰り返す。バックライトは左眼用画像データの書き込み中は消灯するが、書き込みが終わると点灯して左眼用画像がディスプレイ１３に表示される。３Ｄメガネ１１は電池が消耗した状態にあるためシャッターの開閉動作を行わず、左右両方のシャッターを開いた状態に維持する。このとき、ユーザーは常に左眼用画像を両方の眼で見ることになるため、２重に重なったぼやけた画像とはならない。
【００４１】
図９は従来の立体映像表示装置のディスプレイ表示、図１０は本実施の形態の立体映像表示装置のディスプレイ表示を示す。３Ｄメガネ１１の電池残量が十分にある状態では、図９、図１０の左図にそれぞれ示すように左眼用画像と右眼用画像をディスプレイに交互に表示させて、ユーザーは立体映像を見る。しかし、３Ｄメガネ１１の電池残量が少なくなってシャッター開閉動作が出来なくなった場合にまで左眼用画像と右眼用画像を交互に表示させると、ユーザーは両方の画像を両目で見ることとなり、図９の右図に示すように、二重にぼやけた文字「あ」を見ることになってしまう。本実施の形態の立体映像表示装置ではこのような場合に、左眼用画像か右眼用画像のどちらか一方のみを表示させることにより、図１０の右図に示すように文字「あ」は二重に重なることがなく、ぼやけのない画像をユーザーに見せることが可能である。
【００４２】
＜効果＞
本実施の形態の立体映像表示装置では、以下の効果を奏する。すなわち、本実施の形態の立体映像表示装置は、シャッター式の３Ｄメガネ１１を着用して立体映像を視聴することが可能な映像をディスプレイ１３に表示するものである。そして、左眼用画像と右眼用画像をディスプレイに交互に表示するタイミングを生成するとともに、画像の表示に同期して３Ｄメガネ１１の左右シャッター個々の開閉動作を制御するシャッター制御信号を生成するタイミング生成部７と、シャッター制御信号を３Ｄメガネ１１に送信する送信部８と、３Ｄメガネ１１から応答信号を受信する受信部９と、受信部９での３Ｄメガネ１１からの応答信号の受信態様が所定のものである場合に、左眼用画像又は右眼用画像のいずれか一方のみをディスプレイ１３に順次表示する制御を行う制御部１０とを備える。ここで、３Ｄメガネ１１のシャッターを駆動する電池電圧が閾値より低くなった場合に、これが応答信号に反映されるとすれば、３Ｄメガネ１１の電池が消耗しても、左眼用画像か右眼用画像のいずれか一方のみを表示させることによって、ユーザーはブレのない映像を視聴することが可能になる。
【００４３】
そして、上述の応答信号の受信態様が所定のものであるとは、応答信号が所定の異常パターンの信号である場合や、応答信号を受信しなくなった場合を含む。３Ｄメガネ１１のシャッターを駆動する電池電圧が閾値より低くなった場合に、所定の異常パターンを応答信号として立体映像表示装置に送信する、あるいは応答信号を送信しない構成とすれば、この場合にディスプレイ１３には左眼用画像か右眼用画像のいずれか一方のみが表示されるため、ユーザーはブレのない映像を視聴することが可能になる。
【００４４】
本実施の形態の立体映像表示システムによれば、以下の効果を奏する。立体映像表示システムは、立体映像表示装置とシャッター式の３Ｄメガネ１１を備えるものである。３Ｄメガネ１１は、シャッター制御信号を立体映像表示装置から受信するシャッター制御信号受信部１７と、シャッター制御信号に基づき左右シャッター個々の開閉動作を行うシャッター駆動部１９と、３Ｄメガネ１１の電池電圧を検出する電圧検出部１６と、電池電圧と所定の閾値の比較結果に応じた応答信号を立体映像表示装置に送信する応答信号送信部１８とを備える。よって、立体映像表示装置は応答信号を通して３Ｄメガネ１１の電池が消耗しているか否かを把握でき、消耗した場合に左眼用画像か右眼用画像のいずれか一方のみを表示することによって、ユーザーはブレのない映像を視聴することが可能になる。
【００４５】
そして、応答信号は、電池電圧が所定の閾値より大きい場合に所定の正常パターンの信号、小さい場合に所定の異常パターンの信号であるものとする。立体映像表示装置は、３Ｄメガネ１１から異常パターンの応答信号を受信すると左眼用画像か右眼用画像のいずれか一方のみを表示することによって、ユーザーはブレのない映像を視聴することが可能になる。
【００４６】
また、受信部９での３Ｄメガネ１１からの応答信号の受信態様が所定のものである場合に、制御部１０は、電池交換を促す画像をディスプレイ１３に表示する制御を行う。これにより、ユーザーは３Ｄメガネ１１の電池が消耗したことを把握し、電池交換を行うきっかけとなる。
【００４７】
さらに、シャッター駆動部１９は、電池電圧が所定の閾値より小さくなると、左右のシャッターを開いた状態にして開閉動作を停止する。これにより、電池が消耗するとシャッター開閉動作を行わずユーザーは３Ｄメガネ１１を着用していても常に両目で画像を見ることになるが、左眼用画像か右眼用画像のいずれか一方のみがディスプレイ１３に表示されるため、ユーザーはブレのない映像を視聴することが可能になる。
【００４８】
（実施の形態２）
＜構成＞
図１１は、実施の形態２の立体映像表示システムの構成を示すブロック図である。３Ｄメガネ１１が応答信号生成部２０を備えない点が、実施の形態１とは異なる。応答信号送信部１８はシャッターを駆動する電池電圧が所定の閾値より大きい場合に応答信号を立体映像表示装置へ送信し、電池電圧が閾値より小さい場合には応答信号を送信しない。これ以外の構成は実施の形態１と同様であるため、説明を省略する。
【００４９】
＜動作＞
図１２は、本実施の形態のメガネ制御部１０の動作を示すフローチャートである。３Ｄメガネ１１のメガネ制御部１５は、シャッター制御信号受信部１７でシャッター制御信号を受信したことを検出すると（ステップＳ３１）、電圧検出部１６からシャッターを駆動する電池の電圧を読み出す（ステップＳ３２）。次に、電池電圧を予め設定していた閾値と比較する（ステップＳ３３）。電池電圧が閾値以上の値であれば、応答信号送信部１８から応答信号を送信させ（ステップＳ３５）、シャッター制御信号に従いシャッター駆動部１９にシャッターの開閉を実施させる（ステップＳ３６）。電池電圧が閾値未満の値であれば、応答信号送信部１８に応答信号を強制停止させ（ステップＳ３８）、シャッター駆動部１９に左右のシャッターを開いた状態にして開閉制御を停止する。
【００５０】
このように、応答信号は電池電圧が所定の閾値より大きい場合にのみ立体映像表示装置に送信されるため、立体映像表示装置は、３Ｄメガネ１１から応答信号を受信しない場合に左眼用画像か右眼用画像のいずれか一方のみを表示することによって、ユーザーはブレのない映像を視聴することが可能になる。
【００５１】
＜効果＞
本実施の形態によれば、既に述べたように以下の効果を奏する。すなわち、応答信号は、電池電圧が所定の閾値より大きい場合にのみ立体映像表示装置に送信される。そのため、立体映像表示装置は、３Ｄメガネ１１から応答信号を受信しない場合に左眼用画像か右眼用画像のいずれか一方のみを表示することによって、３Ｄメガネ１１の電池が消耗した場合でもユーザーはブレのない映像を視聴することが可能になる。
【符号の説明】
【００５２】
１  アンテナ、２  復調部、３  画像復号部、４  画像フォーマット変換部、５  左眼用画像格納部、６  右眼用画像格納部、７  タイミング生成部、８  送信部、９  受信部、１０  制御部、１１  ３Ｄメガネ、１２  再生装置、１３  ディスプレイ、１４  音声復号部、１５  メガネ制御部、１６  電圧検出部、１７  シャッター制御信号受信部、１８  応答信号送信部、１９  シャッター駆動部、２０  応答信号生成部。
【図１】
0005566179.tif 000002
【図２】
0005566179.tif 000003
【図３】
0005566179.tif 000004
【図４】
0005566179.tif 000005
【図５】
0005566179.tif 000006
【図６】
0005566179.tif 000007
【図７】
0005566179.tif 000008
【図８】
0005566179.tif 000009
【図９】
0005566179.tif 000010
【図１０】
0005566179.tif 000011
【図１１】
0005566179.tif 000012
【図１２】
0005566179.tif 000013